(57)【要約】      （修正有）【課題】容易かつ短時間で所望の形状にアレンジすることができ、所望の場所を飾ることができる花飾りを提供する。【解決手段】土台１１が、網目状の布地から成っている。１または複数の花１４が、土台１１の網目に挿して取り付けられている。花１４は、プリザーブドフラワーから成っているが、生花であっても造花であってもよい。取付用の紐体１３が、土台１１に設けられていてもよい。補強部材が、土台１１の裏面に設けられていてもよい。また、土台１１は、布地を筒状に丸めて形成されていてもよい。【選択図】図１
0003219322.tif 000002
【実用新案登録請求の範囲】
【請求項１】
網目状の布地から成る土台と、
前記土台の網目に挿して取り付けられた１または複数の花とを、
有することを特徴とする花飾り。
【請求項２】
前記土台の裏面に設けられた補強部材を有することを特徴とする請求項１記載の花飾り。
【請求項３】
前記土台は、前記布地を筒状に丸めて形成されていることを特徴とする請求項１または２記載の花飾り。
【考案の詳細な説明】
【技術分野】
【０００１】
本考案は、花飾りに関する。
【背景技術】
【０００２】
従来、遺体などの花飾りとして、冷凍や冷気に影響されない造花を、吸水スポンジ製のオアシスに挿しこんでアレンジしたもの（例えば、特許文献１参照）や、遺体用枕の頭の両側に設けられた生花収納部に、生花を飾るもの（例えば、特許文献２参照）などがある。
【先行技術文献】
【特許文献】
【０００３】
【特許文献１】実用新案登録第３２１８０３８号公報
【特許文献２】実開平７−５６２６号公報
【考案の概要】
【考案が解決しようとする課題】
【０００４】
しかしながら、特許文献１に記載のようなオアシスを利用した花飾りは、所望の形状にアレンジするために、オアシスを成形する必要があり、手間や時間がかかるという課題があった。また、特許文献２に記載の遺体用枕を利用した花飾りは、頭の両側しか飾ることができず、首や胸元など所望の場所を飾ることはできないという課題があった。
【０００５】
本考案は、このような課題に着目してなされたもので、容易かつ短時間で所望の形状にアレンジすることができ、所望の場所を飾ることができる花飾りを提供することを目的とする。
【課題を解決するための手段】
【０００６】
上記目的を達成するために、本考案に係る花飾りは、網目状の布地から成る土台と、前記土台の網目に挿して取り付けられた１または複数の花とを、有することを特徴とする。
【０００７】
本考案に係る花飾りは、花を取り付ける土台が網目状の布地から成るため、容易かつ短時間で所望の形状にアレンジすることができる。また、所望の場所に飾ることができる。本考案に係る花飾りで、花は、生花であっても造花であってもよいが、プリザーブドフラワーが特に好ましい。また、花の他に、草木の枝や葉を土台に取り付けてもよい。また、花は、土台の網目に挿すだけでもよいが、動かないよう、接着剤などにより土台に固定することが好ましい。
【０００８】
本考案に係る花飾りは、土台に設けられた取付用の紐体を有していてもよい。この場合、花が取り付けられた土台を、様々な場所に取り付けやすくすることができる。例えば、紐体で首に取り付けることにより、首や胸元を飾ることができる。また、例えば、遺体の首に取り付けることにより、棺を移動させたときでも動かず、常に遺体の首や胸元を飾りつづけることができる。遺体は、人のほか、犬、猫、その他のペットの遺体であってもよい。このように、本考案に係る花飾りは、首飾りや遺体用首飾りとして用いることができるが、その他いかなる用途に用いられてもよい。また、紐体は、どのように土台に設けられていてもよく、例えば、首にまわして結びつけることができるよう、土台から２方向に伸びるよう設けられていてもよい。紐体は、いかなる素材から成っていてもよいが、見栄えがするよう、リボンから成ることが好ましい。
【０００９】
本考案に係る花飾りは、前記土台の裏面に設けられた補強部材を有していてもよい。この場合、補強部材により、布地から成る土台が曲がったり折れたりして形が崩れるのを防ぐことができる。補強部材は、飾ったときに、土台や花の裏側に隠れるよう設けられていることが好ましい。補強部材は、いかなる素材から成っていてもよく、例えば、厚紙から成っていてもよい。
【００１０】
本考案に係る花飾りで、前記土台は、前記布地を筒状に丸めて形成されていることが好ましい。この場合、土台が形崩れしにくい。また、網目に花を挿しやすい。また、花を立体的に飾ることができる。
【考案の効果】
【００１１】
本考案によれば、容易かつ短時間で所望の形状にアレンジすることができ、所望の場所を飾ることができる花飾りを提供することができる。
【図面の簡単な説明】
【００１２】
【図１】本考案の第１の実施の形態の花飾りを示す正面図である。
【図２】本考案の第１の実施の形態の花飾りの、（ａ）補強部材に土台を貼り付けている途中の状態を示す正面図、（ｂ）補強部材に土台を貼り付けた状態を示す正面図である。
【図３】本考案の第１の実施の形態の花飾りの、土台に花を挿すときの作業状況を示す斜視図である。
【図４】本考案の第２の実施の形態の花飾りを示す正面図である。
【図５】本考案の第２の実施の形態の花飾りの、補強部材に土台を貼り付けた状態を示す（ａ）正面図、（ｂ）背面図である。
【考案を実施するための形態】
【００１３】
以下、図面に基づき、本考案の実施の形態について説明する。
図１乃至図３は、本考案の第１の実施の形態の花飾りを示している。
図１および図２に示すように、本考案の第１の実施の形態の花飾り１０は、複数の土台１１と補強部材１２と紐体１３と複数の花１４とを有している。
【００１４】
複数の土台１１は、それぞれ網目状の布地を筒状に丸めて形成されている。補強部材１２は、厚紙から成り、Ｕ字形を成している。各土台１１は、補強部材１２の表面に両面テープで貼り付けられている。各土台１１は、補強部材１２の一方の端部から他方の端部まで、一列に並んで貼り付けられている。各土台１１は、丸めたときに外側に現れる端縁を裏面側にし、その裏面で補強部材１２に貼り付けられている。なお、具体的な一例では、土台１１は４つから成っている。
【００１５】
紐体１３は、２本から成り、それぞれ補強部材１２の両端部から、各両端部の延長方向に伸びるよう設けられている。各紐体１３は、一端が、それぞれ補強部材１２の両端部に配置された土台１１の先端部の裏面に縫い付けられており、さらに補強部材１２に貼り付けられている。なお、具体的な一例では、各紐体１３は、リボンから成っている。
【００１６】
複数の花１４は、各土台１１の厚みを考慮して、茎の長さを切り詰め、その切り詰めた茎を、各土台１１の網目や各土台１１の隙間に挿して取り付けられている。各花１４は、グルーガン等を用いて茎に接着剤を付け、土台１１に固定されている。各花１４は、ローズ・てまりやスプレーローズなどのプリザーブドフラワーから成っているが、生花であっても、造花であってもよい。なお、具体的な一例では、花１４は、茎を１ｃｍ〜１．５ｃｍ以下まで切り詰めている。また、花１４の他に、草木の葉１５も土台１１の表面に貼り付けられている。また、図３に示すように、各花１４は、茎を押し込むのではなく、ピンセット１などで布地を持ち上げるようにして、土台１１の網目に挿すことが好ましい。
【００１７】
次に、作用について説明する。
花飾り１０は、花を取り付ける土台１１が網目状の布地から成るため、容易かつ短時間で所望の形状にアレンジすることができる。また、所望の場所に飾ることができる。花飾り１０は、２本の紐体１３を、例えば、遺体の首にまわして結びつけることにより、花１４が取り付けられた土台１１を遺体の首に取り付けて、遺体の首や胸元を飾ることができる。また、この場合、棺を移動させたときでも動かず、常に遺体の首や胸元を飾りつづけることができる。
【００１８】
また、花飾り１０は、補強部材１２により、布地から成る土台１１が曲がったり折れたりして形が崩れるのを防ぐことができる。また、花飾り１０は、布地を筒状に丸めて各土台１１を形成しているため、土台１１がさらに形崩れしにくい。また、網目に花１４を挿しやすく、花１４を立体的に飾ることができる。花飾り１０は、飾ったときに、補強部材１２を土台１１や花１４の裏側に隠すことができる。なお、花飾り１０は、首に取り付ける場合には、女性向けであるが、男性に使用してもよい。
【００１９】
図４および図５は、本考案の第２の実施の形態の花飾りを示している。
図４および図５に示すように、本考案の第２の実施の形態の花飾り２０は、土台１１と補強部材１２と紐体１３と複数の花１４とを有している。なお、以下の説明では、本発明の第１の実施の形態の花飾り１０と同一の構成には同一の符号を付して、重複する説明を省略する。
【００２０】
土台１１は、１つから成り、網目状の布地を筒状に丸めて形成されている。補強部材１２は、厚紙から成り、細長い矩形状を成している。土台１１は、補強部材１２の表面に両面テープで貼り付けられている。
【００２１】
紐体１３は、１本から成り、中央でＶ字状に折り曲げて、その折り曲げ部分が土台１１の先端部の裏面に縫い付けられており、さらに補強部材１２に貼り付けられている。紐体１３は、折り曲げ部分から先の両端部が、土台１１の先端部から２方向に伸びるよう設けられている。
【００２２】
複数の花１４は、土台１１の網目に挿して接着剤で固定されたり、土台１１の表面に接着剤で固定されたりしている。各花１４は、グルーガン等を用いて茎に接着剤を付け、土台１１に固定されている。各花１４は、ローズ・ミミやスプレーローズ、かすみ草などのプリザーブドフラワーから成っているが、生花であっても、造花であってもよい。
【００２３】
花飾り２０は、紐体１３の両端部を、例えば、遺体の首にまわして結びつけることにより、花１４が取り付けられた土台１１を遺体の首に取り付けて、遺体の首や胸元を飾ることができる。なお、花飾り２０は、首に取り付ける場合には、男性向けであるが、女性に使用してもよい。
【符号の説明】
【００２４】
１  ピンセット
１０、２０  花飾り
１１  土台
１２  補強部材
１３  紐体
１４  花
１５  葉
【図１】
0003219322.tif 000003
【図２】
0003219322.tif 000004
【図３】
0003219322.tif 000005
【図４】
0003219322.tif 000006
【図５】
0003219322.tif 000007